(57)【要約】【課題】  木材に対する突出量が従来よりも短くて済み、しかも、縦材側に横材を引き寄せる力を発生できる木造建築用連結金物を提供すること。【解決手段】  縦材側面に横材端面を連結する木造建築用連結金物であって、縦材に止める基本金物と、横材端面に止める付属金物を有し、横材は端面に収容溝を、収容溝の底にスリット溝を設け、付属金物はスリット溝から収容溝に突き出す平板で、基本金物は縦材側面への止め板と、止め板から突出して収容溝に嵌る腕板を有し、腕板を三枚重ねとし、腕板の中央板を接続片とし、各腕板の左右側板を横ズレ防止のストッパー片とし、接続片反縦材側と付属金物の縦材側端部を連結用に階段状にし、接続片の反縦材側に係止片を上に突出し、係止片の上辺を縦材側に下がる傾斜辺にし、被係止片を付属金物に突出し、縦材付き基本金物の上から横材付き付属金物を落とす最中に被係止片が係止片の傾斜に沿って摺動して縦材側に引き寄せられる。【選択図】      図２
2005273237.tif 000002
【特許請求の範囲】
【請求項１】
縦材（１）の側面と横材（３）の端面との突き合わせ箇所に収容されると共に、縦材（１）と横材（３）を連結する木造建築用連結金物であって、
縦材（１）の側面に固定する基本金物（２）と、横材（３）の端面側に固定する付属金物（４）とからなり、
横材（３）にはその端面横幅方向に収容溝（２１）を上下に沿って形成すると共に、収容溝（２１）の底の横幅中央部にスリット溝（２２）を形成し、縦材（１）の側面と横材（３）端面の少なくとも一方に切欠部（Ｋ）を形成し、
付属金物（４）は、スリット溝（２２）に挿入すると共にその一部が収容溝（２１）に突き出す平板であって、横材側面から通した留め具（１１ｂ）を挿入する抜穴（２７）をあけ、
基本金物（２）は、切欠部（Ｋ）に収容されると共に縦材（１）の側面に固定する止め板（９）と、止め板（９）から突き出すと共に収容溝（２１）に嵌り込む腕板（１３）とからなり、腕板（１３）を平面視三枚重ねで形成し、各腕板（１３）の中央板を、付属金物を載せる接続片（１４）とし、各腕板（１３）の左右側板を、付属金物（４）の横ズレを防止するストッパー片（１５，１６）とし、
接続片（１４）と付属金物（４）を連結するために、接続片（１４）の反縦材側端部を、下に向かう階段状に形成すると共に、付属金物（４）の縦材側端部を、接続片（１４）の反縦材側端部の上に載る段差形状に形成し、接続片（１４）の反縦材側端部と上部の少なくとも一方に係止片（１７）を上向きに突出すると共に係止片（１７）の上辺を縦材側に向かって低くなる傾斜辺に形成し、付属金物（４）の縦材側端部には、傾斜辺に沿って摺動する被係止片（２５）を下向きに突出し、縦材（１）に付けた基本金物（２）の上方から、横材（３）に付けた付属金物（４）を落とし込む最中に、被係止片（２５）が係止片（１７）の傾斜に沿って摺動して相対的に縦材側に引き寄せられることを特徴とする木造建築用連結金物。
【請求項２】
接続片（１４）は、係止片（１７）の縦材側には、被係止片（２５）が嵌る係止穴（１８）を設けてあることを特徴とする請求項１記載の木造建築用連結金物。
【請求項３】
噛み合い用の上向き凹部（１９）を、接続片（１４）の反縦材側端部と上部の少なくとも一方に設け、上向き凹部（１９）に噛み合う下向き凸部（２６）を、付属金物（４）の対応する箇所に設けてあることを特徴とする請求項１又は２記載の木造建築用連結金物。
【発明の詳細な説明】
【技術分野】
【０００１】
本発明は、縦材（柱、梁、桁等）と横材（梁、桁等）を連結する木造建築用連結金物に関する。
【背景技術】
【０００２】
縦材と横材を連結する木造建築用連結金物としては、柱に連結金物を予め固定しておき、その連結金物に対して梁を落とし込むことによって、梁の端面にあけたスリットに連結金物の接合板を差し込み、また、接合板のＵ字状の受け穴に対して、梁に打ち込んだ留め具を引っ掛けるものが知られている。
【特許文献１】特開平１０−３３１２６０号公報
【０００３】
柱と梁を連結するための現場での作業時間を短縮するには、連結金物を工場で予め取り付けておくことが望ましい。しかしながら、上述した連結金物は、柱に対する接合板の突出長が長いため、工場で柱に連結金物を固定すると、自動車等に積載して運搬する際にその突出長分だけ積載スペースが無駄になり、積載量が少なくなるという問題がある。
【０００４】
また、上述した連結金物は、最終的には、柱に固定した連結金物の接合板の抜穴に、梁の側面からボルトを通すことによって、梁を柱に連結するが、単にボルトを通してあるだけなので、梁を柱側に引きつける力は殆どない。従って、連結強度を向上させるには、梁（横材）を柱（縦材）側に引きつける力を発生させることが望ましい。
【発明の開示】
【発明が解決しようとする課題】
【０００５】
本発明は上記実情を考慮して開発されたもので、その目的は、木材に対する突出量が従来よりも短くて済み、工場等から運搬する際の積載スペースを有効に使用でき、しかも、縦材側に横材を引き寄せる力を発生できる木造建築用連結金物を提供することである。
【課題を解決するための手段】
【０００６】
本発明は、縦材の側面と横材の端面との突き合わせ箇所に収容されると共に、縦材と横材を連結する木造建築用連結金物であって、縦材の側面に固定する基本金物と、横材の端面側に固定する付属金物とからなり、横材にはその端面横幅方向に収容溝を上下に沿って形成すると共に、収容溝の底の横幅中央部にスリット溝を形成し、縦材の側面と横材端面の少なくとも一方に切欠部を形成するものを前提とする。
【０００７】
そして、請求項１の発明は、付属金物は、スリット溝に挿入すると共にその一部が収容溝に突き出す平板であって、横材側面から通した留め具を挿入する抜穴をあけ、基本金物は、縦材の側面に固定する止め板と、止め板から突き出すと共に収容溝に嵌り込む腕板とからなり、腕板を平面視三枚重ねで形成し、各腕板の中央板を、付属金物を載せる接続片とし、各腕板の左右側板を、付属金物の横ズレを防止するストッパー片とし、接続片と付属金物を連結するために、接続片の反縦材側端部を、下に向かう階段状に形成すると共に、付属金物の縦材側端部を、接続片の反縦材側端部の上に載る段差形状に形成し、接続片の反縦材側端部と上部の少なくとも一方に係止片を上向きに突出すると共に係止片の上辺を縦材側に向かって低くなる傾斜辺に形成し、付属金物の縦材側端部には、傾斜辺に沿って摺動する被係止片を下向きに突出し、縦材に付けた基本金物の上方から、横材に付けた付属金物を落とし込む最中に、被係止片が係止片の傾斜に沿って摺動して相対的に縦材側に引き寄せられることを特徴とする。なお、留め具としては、ドリフトピンやボルト等が挙げられる。
【０００８】
接続片の上に付属金物が載った一枚板の状態では、係止片の傾斜辺によって被係止片、ひいては付属金物が縦材側に引き寄せられると共に、ストッパー片によって付属金物が横ズレするのを防止してあるので、連結金物による縦材と横材の連結が確保される。
【０００９】
基本金物の接続片に付属金物を落とし込んで連結すると、縦材から付属金物の先端までの突出長は、縦材から基本金物の腕板までの突出長に比べれば大幅に長い。言い換えれば、縦材に対する基本金物の突出長は短いと言え、縦材に基本金物を取り付けた場合の積載スペースを従来よりも大幅に減らせる。又、付属金物は、収容溝及びスリット溝内に収容されるので、横材に取り付けても、積載スペースは横材単体と同じである。
【００１０】
また、係止片は全体が三角形状であっても良いが、基本金物と付属金物の部分的な噛み合わせによって連結強度を向上するには、請求項２の発明のように、接続片は、係止片の縦材側には、被係止片が嵌る係止穴を設けてあるものが望ましい。つまり、この場合、係止片はその上部が三角形状となる。
【００１１】
同様に、噛み合わせによって連結強度を向上するには、請求項３の発明のように、噛み合い用の上向き凹部を、接続片の反縦材側端部と上部の少なくとも一方に設け、上向き凹部に噛み合う下向き凸部を、付属金物の対応する箇所に設けても良い。
【発明の効果】
【００１２】
請求項１の発明は、連結金物を基本金物と付属金物に分けることによって、基本金物の付いた縦材と付属金物の付いた横材の一本当たりの占有空間を従来よりも大幅に減らすことができ、工場で予め基本金物と付属金物を付けた状態で運搬する際の積載スペースを減らすことができ、その結果、積載スペースを有効活用できる。また、被係止片が係止片の傾斜に沿って摺動して縦材側に引き寄せられ、基本金物と付属金物が連結されると共に、縦材の側面に横材の端面を押し付けるので、縦材と横材の連結強度も向上する。
【００１３】
請求項２の発明は、係止片の縦材側の係止穴に被係止片が嵌るので、連結金物を介した縦材と横材の連結強度が向上する。
【００１４】
請求項３の発明は、接続片の反縦材側端部と上部の少なくとも一方に設けた上向き凹部に、下向き凸部が噛み合うので、連結金物を介した縦材と横材の連結強度が向上する。
【発明を実施するための最良の形態】
【００１５】
本発明の木造建築用連結金物の第一例は図１から図６に示すように、縦材１の側面に固定する基本金物２と、横材３の端面内に収容される付属金物４とからなる。
【００１６】
基本金物２をボルト止めする縦材１は図１から図３に示すように、側面にはホゾ穴５をあけると共に、ホゾ穴５の反対面側にナット用の受け穴６をあけ、ホゾ穴５の中央部から受け穴６の中央部に向かってボルト止め用の貫通穴７をあけてある。
【００１７】
基本金物２は主に図４、図６、図７に示すように、縦材１の側面に固定する本体８を平面視コ字状に形成し、本体８の縦材側の止め板９には、ホゾ穴５に埋め込むカップ状のホゾ１０を突出し、ホゾ１０の中央部には、留め具としてのボルト１１ａの軸通し用の抜穴１２をあけてある。なお、ボルト１１ａは、六角穴付きボルト等の頭部に工具を差し込むものを用いることによって、ホゾ１０内にボルトの頭部を収容できる。
【００１８】
また、本体８は、縦材１に押し付ける短冊状の止め板９と、止め板９の両端から横材３側に突き出す２枚の腕板１３とからなる。各腕板１３は、溶接によって一体化した平面視三枚重ねの板であって、中央板を付属金物４を載せる接続片１４とし、左右側板を付属金物４の横ズレを防止するストッパー片１５、１６としてある。接続片１４は、縦材側端部とは反対側、即ち反縦材側端部に、下に向かう複数段の階段状に形成してある。本体８を側面視すると、ストッパー片１５，１６によってその階段の段差が覆われた形態となっている。そして、一つの段部（高さ中間部の段部）には係止片１７を上方に突出し、係止片１７の上辺を縦材側に向かって低くなる傾斜辺に形成し、係止片１７の縦材側には噛み合い用の係止穴１８を有する。また、他の段部（下側段部）及び接続片１４の上辺には、噛み合い用の上向き凹部１９を形成してある。また、各ストッパー片１５，１６は、短冊状であって、左右方向には留め具としてのドリフトピン１１ｂを通す抜穴２０をあけてある。
【００１９】
付属金物４を止める横材３は図１から図３に示すように、その端面横幅方向に間隔をあけて二本の収容溝２１を上下に貫通して形成すると共に、両収容溝２１の間には止め板９を収容する切欠部Ｋを設け、収容溝２１の底の横幅中央部にスリット溝２２を上下に貫通して形成してある。また、側面にはスリット溝２２に対応する箇所に、ドリフトピン１１ｂを打ち込む複数の抜穴２３が、スリット溝２２を経て反対面に向かって貫通して形成してある。同様に、側面には収容溝２１に対応する箇所にも抜穴２４が、収容溝２１を経て反対面に向かって貫通して形成してある。横材３及び縦材１への溝や穴は、丸鋸やドリルの切削工具で簡単にあけることができることも本発明の連結金物の利点である。尚、図示しないが、止め板９を収容する切欠部Ｋは、縦材１と横材３の突き合わせ箇所に設けてあればよいので、縦材１に設けても良いし、縦材１と横材３の双方に亘って設けても良い。
【００２０】
付属金物４は図５〜図７に示すように、二枚の平板であって、接続片１４の反縦材側端部の上に載る段差形状にその縦材側端部を形成し、その段差部分には、係止片１７の傾斜辺に沿って摺動可能な被係止片２５を、係止片１７の横の係止穴１８に嵌め込むために形成すると共に、上向き凹部１９に噛み合う下向き凸部２６を形成してある。なお、被係止片２５の下辺も係止片１７と同様に傾斜させてある。また、図１に示すように、スリット溝２２を貫通する横材３の抜穴２３に一致する箇所に、ドリフトピン１１ｂを通す抜穴２７をあけると共に、収容溝２１を貫通する横材３の抜穴２４よりも反縦材側の近傍にドリフトピン１１ｂを通す抜穴２８をあけてある。なお、図５に示すように付属金物４の上辺には、ドリフトピン１１ｂを掛けるＵ字状の掛け穴２９をあけても良い。
【００２１】
上述した第一例の連結金物は以下の要領で使用する。まず図１（イ）及び図３（イ）に示すように、縦材１のホゾ穴５に基本金物２のホゾ１０を挿入し、ボルト止めし、ホゾ１０内にボルトの頭部を収容する。また、横材３のスリット溝２２に付属金物４を挿入し、側面からドリフトピン１１ｂを打ち込んで留める。そうすると、図１（ロ）及び図３（ロ）に示すように、付属金物４の縦材側端部が収容溝２１内に突き出した状態となる。そして、横材３を二本の縦材１間に連結するために、図２（イ）に示すように基本金物２の付いた縦材１を僅かに外側に傾けて、横材３の付いた付属金物４を基本金物２の真上に配置して降ろすと、係止片１７の上辺（傾斜辺）に、付属金物４の被係止片２５が載る。続いて、上から叩く等して横材３をさらに降ろすと、図２（ロ）に示すように、係止片１７の傾斜に沿って被係止片２５が縦材側に摺動して、係止穴１８の真上に被係止片２５が、上向き凹部１９の真上に下向き凸部２６がそれぞれ配置される。そして、横材３をさらに落とし込むと、係止穴１８には被係止片２５が、上向き凹部１９には下向き凸部２６がそれぞれ噛み合って、接続片１４と付属金物４が一枚板状に重なり、付属金物４が相対的に縦材１側に僅かに引き寄せられ、縦材１の側面と横材３端面とのガタツキがなくなって横材３の端面が縦材１の側面に強く押し付けられ、連結強度が向上する。最後に、図３（ニ）に示すように、ストッパー片１６の抜穴２０と付属金物４の抜穴２８とが一直線状になるので、ドリフトピン１１ｂを打ち込む。そうすると、図２（ハ）に示すように、付属金物４と基本金物２が上下方向に移動不能に連結される。なお、連結金物が縦材１と横材３の中に隠れているので、体裁が良い。
【００２２】
本発明の木造建築用連結金物の第二例は図８、図９に示すように、基本金物２の形状を平面視略Ｔ字状に形成したことを特徴とする。さらに詳しく言えば、基本金物２は、腕板１３が一枚であって、腕板１３の接続片１４の縦材側端部の上下に縦材側に延びる延長部３０を設け、双方の延長部３０に円盤状の止め板９を側方に対称的に突出し、止め板９にボルト止め用の抜穴１２をあけてある。また、基本金物２の形状に合わせて付属金物４を一枚の平板で形成してある。
【００２３】
上述した第二例の連結金物は図９に示すように、第一例と同様の手順で使用するので、詳細な説明は省略する。但し、この場合、止め板９にホゾ１０が付いていないので、縦材１には止め板９を収容する切欠部Ｋとしての丸穴をあけ、その丸穴に止め板９、延長部３０、ボルト１１ａの頭部が収容される。
【図面の簡単な説明】
【００２４】
【図１】（イ）（ロ）図は、木造建築用連結金物の第一例の使用手順前半部分を示す側面図である。
【図２】（イ）（ロ）（ハ）図は、木造建築用連結金物の第一例の使用手順後半部分を示す側面図である。
【図３】（イ）（ロ）（ハ）（ニ）図は、木造建築用連結金物の第一例の使用手順を示す平面図である。
【図４】（イ）（ロ）（ハ）（ニ）（ホ）（ヘ）図は、第一例の連結金物の基本金物の左側面図、正面図、右側面図、平面図、底面図、Ａ−Ａ線端面図である。
【図５】（イ）（ロ）（ハ）（ニ）図は、第一例の連結金物の付属金物の左側面図、正面図、平面図、底面図である。
【図６】第一例の連結金物の分解状態を示す斜視図である。
【図７】第一例の連結金物の組立状態を示す斜視図である。
【図８】（イ）（ロ）（ハ）（ニ）図は、第二例の連結金物の付属金物の平面図、左側面図、正面図、右側面図である。
【図９】（イ）（ロ）（ハ）図は、木造建築用連結金物の第二例の使用手順を示す平面図である。
【符号の説明】
【００２５】
１  縦材
２  基本金物
３  横材
４  付属金物
９  止め板
１１ｂ  留め具（ドリフトピン）
１３  腕板
１４  接続片
１５、１６  ストッパー片
１７  係止片
１８  係止穴
１９  上向き凹部
２１  収容溝
２２  スリット溝
２５  被係止片
２６  下向き凸部
２７  抜穴
Ｋ  切欠部
【図１】
2005273237.tif 000003
【図２】
2005273237.tif 000004
【図３】
2005273237.tif 000005
【図４】
2005273237.tif 000006
【図５】
2005273237.tif 000007
【図６】
2005273237.tif 000008
【図７】
2005273237.tif 000009
【図８】
2005273237.tif 000010
【図９】
2005273237.tif 000011